(57)【要約】【課題】操作部の一部を簡単に操作されにくくした通信装置及びそれを用いた分電盤を提供する。【解決手段】分電盤１は前面が開口したキャビネット本体１１を備える。キャビネット本体１１の前面の開口部１４は、キャビネット本体１１に着脱自在に取り付けられる蓋によって覆われている。第１通信アダプタ７は、キャビネット本体１１に収納されるケース７０と、ケース７０の前面に設けられた操作ボタン７８１〜７８８とを備える。操作ボタン７８１は、キャビネット本体１１の開口部１４が蓋で覆われた状態でも外側から操作可能なように設けられている。操作ボタン７８２〜７８８は、開口部１４が蓋で覆われた状態では外側から操作できず、蓋が開けられた状態で操作可能なように設けられている。そして、ケース７０の内部には、操作ボタン７８１〜７８８の操作に応じた動作を行う機能部が収納されている。【選択図】図１
2015216768.tif 000002
【特許請求の範囲】
【請求項１】
前面が開口したキャビネット本体と前記キャビネット本体の前面の開口部を覆うように前記キャビネット本体に取り付けられる蓋とを備えた分電盤に取り付けられる通信装置であって、
前記キャビネット本体に収納されるケースと、
前記開口部が前記蓋で覆われた状態で外側から操作可能なように前記ケースに設けられた第１操作部と、
前記開口部が前記蓋で覆われた状態では外側から操作できず、前記蓋が開けられた状態で操作可能なように前記ケースに設けられた第２操作部と、
前記ケースに収納され、前記第１操作部及び前記第２操作部の操作に応じた動作を行う機能部とを備えたことを特徴とする通信装置。
【請求項２】
前記第１操作部は、需要家側で操作可能な機能に対応するように構成され、
前記第２操作部は、施工業者によって操作される機能に対応するように構成されることを特徴とする請求項１記載の通信装置。
【請求項３】
前記開口部が前記蓋で覆われた状態で外側から視認可能なように前記ケースに設けられた表示部を備え、
前記機能部は、前記第２操作部の操作に応じて前記表示部の表示内容を切り替えるように構成され、
前記機能部は、前記表示部に表示されている表示内容に応じて前記第１操作部の機能を切り替えるように構成されたことを特徴とする請求項１又は２の何れか１項に記載の通信装置。
【請求項４】
ネットワーク経由でサーバ装置と通信する通信部を備え、
前記第１操作部を用いて所定の操作が行われると、前記機能部は、前記サーバ装置と連携させるために、前記通信部を制御して前記サーバ装置にアクセスさせるように構成されたことを特徴とする請求項１乃至３の何れか１項に記載の通信装置。
【請求項５】
前記開口部が前記蓋で覆われた状態で外側から視認可能なように前記ケースに設けられた表示部を備え、
前記表示部は、前記通信部が前記サーバ装置にアクセスすることによって、前記サーバ装置から送信された応答内容に応じて、表示内容を変更するように構成されたことを特徴とする請求項４記載の通信装置。
【請求項６】
前記サーバ装置から所定の動作の実行を指示する前記応答内容が送信され、前記表示部が前記応答内容に応じた表示内容を表示している状態で、前記第１操作部を用いて所定の操作が行われると、前記機能部が前記所定の動作の実行を受け入れるように構成されたことを特徴とする請求項５記載の通信装置。
【請求項７】
ウェブブラウザからの要求に応じたウェブ画面を提供するサーバ機能部を備え、
前記サーバ機能部は、前記ウェブブラウザからの要求に応じてログイン用の前記ウェブ画面を提供するように構成され、
ログイン用の前記ウェブ画面に表示されたログイン操作用のアイコンが前記ウェブブラウザによって操作された状態で、前記第１操作部を用いて所定の操作が行われた場合、前記サーバ機能部は、前記分電盤の構成に関する設定用のウェブ画面を前記ウェブブラウザに提供するように構成されたことを特徴とする請求項１乃至４の何れか１項に記載の通信装置。
【請求項８】
前記開口部が前記蓋で覆われた状態で外側から視認可能なように前記ケースに設けられた表示部を備え、
前記ウェブブラウザによって、ログイン操作用の前記アイコンが操作された場合に、前記表示部はログイン操作が行われたことを示す表示を行うように構成されたことを特徴とする請求項７記載の通信装置。
【請求項９】
前記サーバ機能部が設定用の前記ウェブ画面を前記ウェブブラウザに提供した場合に、前記表示部は、前記サーバ機能部によって設定用のウェブ画面が提供され、設定が可能な状態であることを表示するように構成されたことを特徴とする請求項８記載の通信装置。
【請求項１０】
設定用の前記ウェブ画面での設定操作が終了した終了時点から所定時間内に前記第１操作部を用いて設定内容を確定させる操作が行われた場合、前記サーバ機能部は、設定用の前記ウェブ画面で設定された設定内容を確定させるように構成され、
前記終了時点から前記所定時間内に前記第１操作部を用いて設定内容を確定させる操作が行われなかった場合、前記サーバ機能部は、設定用の前記ウェブ画面で設定された設定内容を破棄するように構成されたことを特徴とする請求項７乃至９の何れか１項に記載の通信装置。
【請求項１１】
需要家に設けられた複数の分岐回路のそれぞれに電力を分配する複数の分岐ブレーカと、
外部の機器と通信する請求項１乃至１０の何れか１項に記載の通信装置と、
前記複数の分岐ブレーカと前記通信装置とを収納する分電盤用キャビネットとを備えたことを特徴とする分電盤。
【発明の詳細な説明】
【技術分野】
【０００１】
本発明は、通信装置及びそれを用いた分電盤に関し、より詳細には、分電盤の外部にある機器と通信を行う通信装置及びそれを用いた分電盤に関する。
【背景技術】
【０００２】
従来、主幹ブレーカ及び複数の分岐ブレーカに加えて、分岐ブレーカを介して電気機器に供給される電流値を分岐ブレーカごとに計測する複数の分岐用電流センサをボックス内に収納した分電盤が提案されている（たとえば特許文献１参照）。
【０００３】
特許文献１の分電盤では、複数の分岐用電流センサからデータを受け取る計測制御ユニットが、分電盤のボックス内に収納されている。この計測制御ユニットは、分岐ブレーカの設定変更などを行うために操作入力部を備えている。操作入力部は、計測制御ユニットにおける各種設定を変更するために使用される。
【先行技術文献】
【特許文献】
【０００４】
【特許文献１】特開２００９−１３１０１０号公報
【発明の概要】
【発明が解決しようとする課題】
【０００５】
特許文献１に記載の計測制御ユニットは、器体の表面に設けられた操作入力部を操作することで、分岐ブレーカの設定などの各種設定を行っている。主幹ブレーカ、分岐ブレーカ、計測制御ユニットを収納するキャビネットの前面にはドアが取り付けられており、ドアが開けられた状態では、計測制御ユニットの操作入力部は、主幹ブレーカや分岐ブレーカのハンドルと一緒に露出し、操作可能な状態となっている。そのため、計測制御ユニットの操作入力部は、分電盤の電気工事を行う施工業者だけでなく、一般の需要家でも操作が可能であり、計測制御ユニットの設定が意図せずに、又は、悪戯などで変更されることによって、計測が正しく行われない可能性があった。
【０００６】
本発明は上記課題に鑑みて為され、操作部の一部を簡単に操作されにくくした通信装置及びそれを用いた分電盤を提供することを目的とする。
【課題を解決するための手段】
【０００７】
本発明の通信装置は、前面が開口したキャビネット本体と前記キャビネット本体の前面の開口部を覆うように前記キャビネット本体に取り付けられる蓋とを備えた分電盤に取り付けられる。この通信装置は、ケースと、第１操作部と、第２操作部と、機能部とを備える。前記ケースは、前記キャビネット本体に収納される。前記第１操作部は、前記開口部が前記蓋で覆われた状態で外側から操作可能なように前記ケースに設けられる。前記第２操作部は、前記開口部が前記蓋で覆われた状態では外側から操作できず、前記蓋が開けられた状態で操作可能なように前記ケースに設けられる。前記機能部は、前記ケースに収納され、前記第１操作部及び前記第２操作部の操作に応じた動作を行う。
【０００８】
本発明の分電盤は、複数の分岐ブレーカと、上記の通信装置と、分電盤用キャビネットを備える。複数の前記分岐ブレーカは、前記需要家に設けられた複数の分岐回路のそれぞれに電力を分配する。前記通信装置は外部の機器と通信する。前記分電盤用キャビネットは、前記複数の分岐ブレーカと前記通信装置とを収納する。
【発明の効果】
【０００９】
本発明によれば、操作部（第１操作部及び第２操作部）の一部を簡単に操作されにくくした通信装置及び分電盤を提供することができる。
【図面の簡単な説明】
【００１０】
【図１】実施形態１の分電盤の概略構成図である。
【図２】実施形態１の分電盤の内蓋が閉じられた状態の概略構成図である。
【図３】実施形態１の通信装置の概略構成を示すブロック図である。
【図４】実施形態１の通信装置の要部を拡大した正面図である。
【図５】実施形態１の分電盤の要部を拡大した断面図である。
【図６】実施形態１の分電盤の要部を拡大した断面図である。
【図７】実施形態１の通信装置が備える表示部の表示例を示す説明図である。
【図８】実施形態２の通信装置が備えるサーバ機能部が提供するウェブ画面の説明図である。
【図９】実施形態２の通信装置が備える表示部の表示例を示す説明図である。
【図１０】実施形態２の通信装置が備えるサーバ機能部が提供するウェブ画面の説明図である。
【図１１】実施形態２の通信装置が備えるサーバ機能部が提供するウェブ画面の説明図である。
【発明を実施するための形態】
【００１１】
（実施形態１）
実施形態１の通信装置及びそれを用いた分電盤について図面に基づいて説明する。以下の実施形態１，２では、分電盤１が戸建住宅で使用される場合を例示するが、実施形態１，２の分電盤１は、集合住宅の各住戸や事務所や店舗等で使用されてもよい。また、以下では、分電盤１が壁に取り付けられた状態での上下左右（図１における上下左右）を上下左右とし、壁と垂直な方向（図１の紙面と垂直な方向）を前後方向として説明するが、分電盤１を取り付ける向きを限定する趣旨ではない。
【００１２】
本実施形態の分電盤１は、図１に示すように、分電盤用キャビネット１０と、主幹ブレーカ２と、複数の分岐ブレーカ３と、導電バー（図示せず）と、電流計測器（図示せず）と、計測ユニット６とを備えている。また、本実施形態の分電盤１は、第１通信アダプタ７（通信装置）と、第２通信アダプタ８と、第３通信アダプタ９とを備えている。なお、本実施形態の分電盤１は、その最小限の構成として、複数の分岐ブレーカ３と、第１通信アダプタ７と、分電盤用キャビネット１０とを備えていればよい。したがって、本実施形態の分電盤１が、電流計測器（図示せず）や計測ユニット６や第２通信アダプタ８や第３通信アダプタ９を備えるか否かは任意である。
【００１３】
分電盤用キャビネット１０は、キャビネット本体１１を備えている。キャビネット本体１１は、前面が開口した箱状に形成されている。キャビネット本体１１は、住宅の壁等に取り付けて使用される。キャビネット本体１１は、その内部に少なくとも主幹ブレーカ２、複数の分岐ブレーカ３、導電バー、電流計測器を収納する空間を有している。また、本実施形態の分電盤１では、キャビネット本体１１は、計測ユニット６や、第１通信アダプタ７や、第２通信アダプタ８や、第３通信アダプタ９を収納する空間も有している。
【００１４】
また、キャビネット本体１１の背面には、前後方向に貫通する窓孔１２が設けられ、この窓孔１２を通して壁裏からキャビネット本体１１の内部に配線を引き込むことが可能である。
【００１５】
キャビネット本体１１には、図２に示すように、キャビネット本体１１の前面の開口部１４を塞ぐ内蓋１６が取り付けられる。内蓋１６は、例えば合成樹脂製であって、後面の略全体が開口した矩形枠状に形成されており、キャビネット本体１１の側壁の前端部に被さるようにしてキャビネット本体１１に取り付けられる。内蓋１６の前面には矩形の窓孔１６１が形成されている。内蓋１６には、窓孔１６１を塞ぐようにして、複数枚（本実施形態では４枚）の蓋板１６２〜１６５が着脱自在に取り付けられる。４枚の蓋板１６２〜１６５は、上下方向の寸法が窓孔１６１の上下方向における開口寸法とほぼ同じ寸法に設定されており、左右方向に並ぶようにして内蓋１６に取り付けられる。窓孔１６１が蓋板１６２〜１６５で塞がれた内蓋１６をキャビネット本体１１の前側に取り付けることによって、キャビネット本体１１の開口部１４が内蓋１６に覆われた状態となる。すなわち、内蓋１６と、この内蓋１６に取り付けられた蓋板１６２〜１６５とで、キャビネット本体１１の前面の開口部１４を覆う蓋が構成されている。また、分電盤用キャビネット１０は、キャビネット本体１１と、蓋板１６２〜１６５が取り付けられた内蓋１６とを含む。なお、内蓋１６と蓋板１６２〜１６５の少なくとも１つ以上とは、一体的に形成されてもよい。
【００１６】
図２において左端に位置する蓋板１６２は、第１通信アダプタ７、第２通信アダプタ８、及び第３通信アダプタ９の前面を覆うようにして内蓋１６に取り付けられる。蓋板１６２には、第１通信アダプタ７の一部を露出させるための貫通孔１６２１，１６２２が設けられており、本実施形態では上側の貫通孔１６２１から表示部７７１が露出し、下側の貫通孔１６２２から操作ボタン７８１が露出する。
【００１７】
図２において左端から２番目に位置する蓋板１６３は、キャビネット本体１１の内部で一次連系ブレーカが取り付けられる収納スペースを覆うようにして内蓋１６に取り付けられる。
【００１８】
図２において左端から３番目に位置する蓋板１６４は、主幹ブレーカ２の前面を覆うようにして内蓋１６に取り付けられている。蓋板１６４の孔１６４１を通して、主幹ブレーカ２のハンドルが前面側に露出する。
【００１９】
図２において右端に位置する蓋板１６５は、複数の分岐ブレーカ３及び二次連系ブレーカ１００の前面を覆うようにして内蓋１６に取り付けられている。複数の分岐ブレーカ３は、キャビネット本体１１の右側の収納スペースに上下２列に分かれて配置されている。蓋板１６５には、上側に並んだ分岐ブレーカ３のハンドルを露出させる窓孔１６５１と、下側に並んだ分岐ブレーカ３及び二次連系ブレーカ１００のハンドルを露出させる窓孔１６５２が設けられている。
【００２０】
また、キャビネット本体１１には、内蓋１６及び蓋板１６２〜１６５の前面を覆うように外蓋（図示せず）が取り付けられる。外蓋は、キャビネット本体１１の上部に設けられたヒンジ機構を介してキャビネット本体１１に開閉自在に取り付けられている。外蓋が開けられた状態では、図２に示すように内蓋１６及び蓋板１６２〜１６５の前面が露出しており、表示部７７１の表示内容が目視可能となり、操作ボタン７８１が操作可能となる。また、外蓋が開けられた状態では、主幹ブレーカ２や分岐ブレーカ３や二次連系ブレーカ１００のハンドルが操作可能となる。なお、キャビネット本体１１には、外蓋が取り付けられておらず、内蓋１６が露出している状態であってもよい。
【００２１】
主幹ブレーカ２は、一次側端子２１と、二次側端子（図示せず）とを備えている。主幹ブレーカ２は、キャビネット本体１１の中央から見て左下寄りに取り付けられている。一次側端子２１には、系統電源（商用電源）の単相三線式の引き込み線（図示せず）が電気的に接続される。二次側端子には、導電バーが電気的に接続される。導電バーは、導電部材により左右方向に長い長尺板状に形成されている。本実施形態の分電盤１は、配電方式として単相三線式を想定しているので、中性極（Ｎ相）用と、第１電圧極（Ｌ１相）用と、第２電圧極（Ｌ２相）用との３本の導電バーを有している。これら３本の導電バーは、主幹ブレーカ２の右側に配置され、キャビネット本体１１に固定されている。
【００２２】
各分岐ブレーカ３は、中性極の導電バー（図示せず）の上側と下側とに分かれて、それぞれ複数個ずつ（図１の例では、上側が１１個、下側が１１個）左右方向に並ぶように配置されている。各分岐ブレーカ３は、それぞれ一次側端子（図示せず）と、二次側端子（図示せず）とを備えている。一次側端子には導電バーが電気的に接続される。また、二次側端子には、複数の分岐電路（図示せず）の各々が接続される。各分岐ブレーカ３の二次側端子に接続された分岐電路には、例えば照明器具や給湯設備等の機器、コンセント（アウトレット）や壁スイッチ等の配線器具が負荷として１つ以上接続される。
【００２３】
各分岐ブレーカ３は、キャビネット本体１１に取り付けられた状態において、一次側端子が導電バーと電気的に接続される。本実施形態の分電盤１では、分岐ブレーカ３は、導電バーの上側に取り付けられたときに中性極及び第１電圧極に電気的に接続され、下側に取り付けられたときに中性極及び第２電圧極に電気的に接続される。
【００２４】
電流計測器（図示せず）は、各分岐ブレーカ３に接続された分岐電路を流れる電流（以下、「負荷電流」と称する）を個別に計測するように構成されている。
【００２５】
計測ユニット６は、図１に示すように、主幹ブレーカ２の下側に取り付けられていて、電流計測器と電気的に接続されている。計測ユニット６は、３本の導電バーからなる単相三線式の配電路の線間電圧（Ｌ１−Ｎ相間、Ｌ２−Ｎ相間、Ｌ１−Ｌ２相間）をそれぞれ計測し、線間電圧のデータを電圧信号として電流計測器へ出力する機能を有している。
【００２６】
なお、本実施形態の電流計測器は、各分岐ブレーカ３に接続された分岐電路での瞬時電力を個別に演算する機能を有しているが、瞬時電力を演算する機能を有する必要はなく、少なくとも複数の分岐電路の各々に流れる電流を計測する機能を備えていればよい。本実施形態の電流計測器が電流を計測する機能のみを有している場合、計測ユニット６が、電流計測器によって計測された電流値と、配電路の線間電圧とを用いて、各々の分岐電路での瞬時電力を演算すればよい。
【００２７】
本実施形態の分電盤１では、計測ユニット６は、何れかの分岐ブレーカ３の二次側端子に接続され、この分岐ブレーカ３を介して電力が供給されている。また、計測ユニット６は、第１通信アダプタ７とも電気的に接続されている。そして、計測ユニット６は、各分岐電路での瞬時電力の計測データを第１通信アダプタ７に出力し、且つ電源用の電力を第１通信アダプタ７に供給する。なお、計測ユニット６は、導電バーから直接、電源用の電力の供給を受ける構成でもよい。
【００２８】
ところで、本実施形態の分電盤１では、複数の分岐ブレーカ３の他に、二次連系ブレーカ１００が導電バーに電気的に接続されている。二次連系ブレーカ１００は、電力系統への逆潮流が許容されていない第１分散電源（図示せず）に電気的に接続される。第１分散電源としては、例えば燃料電池（図示せず）やガス発電装置（図示せず）、蓄電装置などがある。なお、本実施形態の分電盤１が、二次連系ブレーカ１００を備えるか否かは任意である。
【００２９】
また、本実施形態の分電盤１は、キャビネット本体１１における主幹ブレーカ２の左側に、一次連系ブレーカ（図示せず）が取り付けられるスペースを有している。図１に示すように、キャビネット本体１１には、このスペースに、一次連系ブレーカを取り付けるための支持台１３が取り付けられている。分電盤１が一次連系ブレーカを備える場合、一次連系ブレーカは支持台１３に取り付けられる。一次連系ブレーカは、電力系統への逆潮流が許容されている第２分散電源（図示せず）に電気的に接続される。第２分散電源としては、例えば太陽光発電装置などがある。
【００３０】
第１通信アダプタ７は、分電盤１の外部に設置されるコントローラ３００との間で通信する機能を有している。また、第１通信アダプタ７は、ネットワーク２００経由で、ウェブブラウザを搭載したクライアント端末４００やサーバ装置８００との間で通信する機能を有している。
【００３１】
図３は第１通信アダプタ７の概略構成を示すブロック図である。第１通信アダプタ７は、演算処理部７００（機能部）と、第１通信部７１０と、第２通信部７１１と、操作入力部７２０と、表示制御部７３０と、記憶部７４０と、表示部７７１と、発光表示部７７２と、操作ボタン７８１〜７８８を備える。
【００３２】
また、第１通信アダプタ７は、演算処理部７００や第１通信部７１０や第２通信部７１１や操作入力部７２０や表示制御部７３０や記憶部７４０を収納するケース７０を備えている。図１及び図４に示すように、ケース７０の前面には、動作状態や設定内容などを表示するための表示部７７１と、複数個の発光表示部７７２と、複数個の操作ボタン７８１〜７８８とが配置されている。
【００３３】
表示部７７１は、例えば２桁の７セグメント表示器からなり、動作状態や設定内容などの情報を、文字と数字と記号との少なくとも１つを用いて表示する。
【００３４】
複数個（本実施形態では例えば４個）の発光表示部７７２は、例えば発光ダイオードを光源とし、点灯、消灯、点滅などの各状態で動作表示を行う。
【００３５】
操作ボタン７８１〜７８８は各種の操作を行うために用いられ、操作ボタン７８１〜７８８が操作されると、操作に応じた信号が操作入力部７２０から演算処理部７００に入力される。
【００３６】
本実施形態の第１通信アダプタ７は第１操作部として操作ボタン７８１を備える。操作ボタン７８１は、第１通信アダプタ７の動作モードや設定内容を設定するために操作される操作ボタンである。
【００３７】
また、本実施形態の第１通信アダプタ７は第２操作部として７個の操作ボタン７８２〜７８８を備えている。操作ボタン７８２〜７８８のうち上側にある４個の操作ボタン７８２〜７８５は、項目（表示部７７１に表示されている項目や設定対象の項目など）をスクロールするための操作ボタンである。最上列にある２個の操作ボタン７８２，７８３のうち、左側の操作ボタン７８２は早戻し操作の操作ボタン、右側の操作ボタン７８３は早送り操作の操作ボタンである。上から２列目の操作ボタン７８４，７８５のうち、左側の操作ボタン７８４は戻し操作のための操作ボタンであり、右側の操作ボタン７８５は送り操作のための操作ボタンである。また、上から３列目の操作ボタン７８６，７８７は設定内容を変更するために操作される操作ボタンである。設定内容が数値の場合、左側の操作ボタン７８６は設定値を増加させるために操作される操作ボタンであり、右側の操作ボタン７８７は設定値を減少させるために操作される操作ボタンである。そして、左下にある操作ボタン７８８は、設定内容を確認するために操作される操作ボタンである。
【００３８】
ここにおいて、発光表示部７７２と、第２操作部としての操作ボタン７８２〜７８８とは、ケース７０の前面において内蓋１６及び蓋板１６２で覆われる部位に設けられている。したがって、内蓋１６及び蓋板１６２〜１６５からなる蓋がキャビネット本体１１に取り付けられた状態では、発光表示部７７２及び操作ボタン７８２〜７８８は内蓋１６及び蓋板１６２〜１６５からなる蓋で覆われている。
【００３９】
一方、表示部７７１は、ケース７０の前面において蓋板１６２の貫通孔１６２１に対応する部位に設けられ、第１操作部としての操作ボタン７８１は、ケース７０の前面において蓋板１６２の貫通孔１６２２に対応する部位に設けられている。したがって、内蓋１６及び蓋板１６２〜１６５でキャビネット本体１１の前面の開口が覆われた状態でも、表示部７７１は貫通孔１６２１から露出し、操作ボタン７８１は貫通孔１６２２から露出している。
【００４０】
よって、キャビネット本体１１の前面の開口部１４が、内蓋１６及び蓋板１６２〜１６５からなる蓋で覆われた状態では、操作ボタン７８１は外側から操作可能であるが、操作ボタン７８２〜７８８は外側から操作できないように構成されている。また、開口部１４が蓋で覆われた状態では、表示部７７１は外側から目視可能であるが、発光表示部７７２は外側から目視できない状態となっている。
【００４１】
本実施形態では、操作ボタン７８１は、図５に示すように、ケース７０の前面からの突出量ｔ１が、ケース７０の前面から貫通孔１６２２の後側の開口部分までの距離よりも小さくなるように構成されている。ケース７０の前面において、貫通孔１６２２の周りには、円錐状の傾斜面１６２３が形成されており、操作ボタン７８１は、貫通孔１６２２の後側（図５における下側）の開口部分よりも更に後方に位置している。よって、操作ボタン７８１に手が当たるなどして、操作ボタン７８１が意図せずに操作される可能性が低くなる。なお、図６に示すように、操作ボタン７８１は、ケース７０の前面からの突出量ｔ２が、ケース７０の前面から貫通孔１６２２の前側（図６における上側）の開口部分までの距離よりも大きくなるように構成されてもよい。この場合、操作ボタン７８１が貫通孔１６２２の前側の開口部分よりも前方に突出しているので、ドライバーなどの工具を用いなくても、操作ボタン７８１を手で容易に操作することができる。また、本実施形態では、操作ボタン７８１が蓋板１６２の貫通孔１６２２から露出しているが、操作ボタン７８１を前面側に露出させず、蓋板１６２に設けられた押釦（図示せず）を押すと、この押釦の後部で操作ボタン７８１が押されるように構成されてもよい。
【００４２】
第１通信部７１０は、インターネットのようなネットワーク２００を介してクライアント端末４００（例えばパーソナルコンピュータやスマートフォンやタブレット端末など）やサーバ装置８００と通信する。
【００４３】
第１通信部７１０の通信方式は、例えば９２０ＭＨｚ帯の特定小電力無線局（免許を要しない無線局）や、ＩＥＥＥ８０２．１５．１の規格に準拠した通信方式や、ＩＥＥＥ８０２．１５．４の規格に準拠した通信方式でもよい。また、第１通信部７１０の通信プロトコルは、例えばＥｔｈｅｒｎｅｔ（登録商標）などを用いてよい。なお、本実施形態の第１通信アダプタ７は、電波を媒体とした無線通信を行うように構成されているが、無線通信及び有線通信（例えば有線ＬＡＮ（Local Area Network）等）の両方の通信を行うことができるように構成されてもよい。
【００４４】
第２通信部７１１は、需要家（facility）内に設置されて、需要家でのエネルギー需給を管理するコントローラ３００との間で通信する機能を有する。コントローラ３００は、例えばＨＥＭＳ（Home Energy Management System）用のコントローラであり、ＨＥＭＳに対応する機器（図示せず）の監視又は制御を行うように構成されている。ＨＥＭＳに対応する機器は、エネルギーの需給を把握するために必要な管理対象であればよい。このような機器には、例えば、照明器具、空調装置などの電気機器や電気自動車などのエネルギーを使用する機器、太陽光発電装置、燃料電池などのエネルギーを創出する機器、蓄電装置、および電気自動車のようなエネルギーを蓄える機器などを含む。なお、ＨＥＭＳに対応する機器は上記の機器に限定されるものではない。また、コントローラ３００の機能を第１通信アダプタ７が備えていてもよい。この場合は、コントローラ機能を有する第１通信アダプタ７が、需要家でのエネルギーの需給を管理し、ＨＥＭＳに対応する機器の監視又は制御を行う。
【００４５】
第２通信部７１１の通信方式は、例えば９２０ＭＨｚ帯の特定小電力無線局（免許を要しない無線局）や、ＩＥＥＥ８０２．１５．１の規格に準拠した通信方式や、ＩＥＥＥ８０２．１５．４の規格に準拠した通信方式でもよい。なお、第２通信部７１１の通信方式は無線通信方式に限定されず、有線ＬＡＮ（Local Area Network）などの有線通信方式でもよいし、無線通信方式と有線通信方式の両方を併用してもよい。
【００４６】
操作入力部７２０は、操作ボタン７８１〜７８８の操作に応じた信号を演算処理部７００に入力する。
【００４７】
表示制御部７３０は、演算処理部７００からの制御信号に応じて表示部７７１及び発光表示部７７２の動作を制御する。
【００４８】
記憶部７４０は、例えばＥＥＰＲＯＭ（Electrically Erasable and Programmable Read Only Memory）のような電気的に書き換え可能なメモリやＲＯＭ（Read Only Memory）からなる。記憶部７４０は、例えば、演算処理部７００が実行するソフトウェアや、使用電力量の計測対象である分岐回路の回路情報や、クライアント端末４００を用いて設定された設定内容などを記憶する。
【００４９】
演算処理部７００（機能部）は、記憶部７４０に記憶されたソフトウェアを実行するマイクロコンピュータからなる。演算処理部７００は、プログラムを実行することによって各種の機能（例えばサーバ機能部７０１）を実現し、操作ボタン７８１〜７８８の操作に応じた動作を行う。サーバ機能部７０１は、演算処理部７００の演算機能によって実現され、クライアント端末４００に搭載されたウェブブラウザからの要求に応じたウェブ画面をクライアント端末４００に提供する。
【００５０】
また、第１通信アダプタ７は、計測ユニット６及び電流計測器からそれぞれ出力される計測データを演算する演算部（図示せず）を有し、演算結果（例えば瞬時電力を所定時間にわたって積算した結果等）をコントローラ３００に送信する。
【００５１】
第１通信アダプタ７は、分電盤１において、上から順に第２通信アダプタ８、第１通信アダプタ７、第３通信アダプタ９となるようにキャビネット本体１１に取り付けられている。また、第２通信アダプタ８と第１通信アダプタ７と第３通信アダプタ９とは、キャビネット本体１１の中央から見て左側に取り付けられていて、分電盤用キャビネット１０の左側面に近い位置に配置されている。すなわち第１通信アダプタ７は、主幹ブレーカ２及び計測ユニット６の左側に配置されている。
【００５２】
第２通信アダプタ８は、第１通信アダプタ７と機械的に結合され、且つ電気的に接続される。本実施形態の分電盤１では、第１通信アダプタ７と第２通信アダプタ８とは、各々の一部が前後方向に重なった状態で、基板対基板（board to board）接続によって接続される。
【００５３】
第２通信アダプタ８は、電力メータ（図示せず）との間で通信する機能を有している。電力メータは、所謂スマートメータであって、需要家での使用電力量を計測し、配電線に接続されているコンセントレータ（図示せず）との間で通信を行うことによって、遠隔検針を可能にするように構成されている。また、電力メータは、第２通信アダプタ８との間で通信することにより、計量値（使用電力量）や要請情報等を第２通信アダプタ８に送信することができる。なお、要請情報とは、電力供給事業者等が運営するサーバから需要家に向けて送信される電力の消費を抑制するための要請である。
【００５４】
第２通信アダプタ８と電力メータとの間の通信方式は、例えば９２０ＭＨｚ帯の特定小電力無線局（免許を要しない無線局）などの無線通信である。なお、第２通信アダプタ８と電力メータとの間の通信方式は、有線ＬＡＮや電力線搬送通信（ＰＬＣ：Power Line Communications）などの有線通信でもよい。
【００５５】
ここで、第２通信アダプタ８は、電力メータから受信した計量値を第１通信アダプタ７へ送信するように構成されていることが望ましい。この場合、第１通信アダプタ７との間で通信するコントローラ（図示せず）は、計量値を用いて機器を制御するように構成されてもよい。この構成では、コントローラは、電力メータから送信される計量値に基づいて機器の監視又は制御を行うことができる。
【００５６】
第３通信アダプタ９は、第１通信アダプタ７と機械的に結合され、且つ電気的に接続される。本実施形態の分電盤１では、第１通信アダプタ７と第３通信アダプタ９とは、各々の一部が前後方向に重なった状態で、基板対基板（board to board）接続によって接続される。
【００５７】
第３通信アダプタ９は、太陽光発電装置（図示せず）、蓄電装置（図示せず）、電気自動車に電気的に接続される電力変換装置（図示せず）の少なくとも１つとの間で通信する機能を有している。なお、電力変換装置は、分電盤１側から電気自動車への単方向充電を行うための電力変換の他、双方向に電力変換を行うことで電気自動車の蓄電池の充電と放電との両方に用いられる構成であってもよい。また、第３通信アダプタ９は、ガスメータ（図示せず）と水道メータ（図示せず）との少なくとも一方との通信機能を有している。ガスメータや水道メータは使用量に応じたパルス信号を出力する。第３通信アダプタ９は、ガスメータや水道メータからパルス信号を受信し、予め決められている１パルス当たりの使用量の換算値（換算レート）を用いて、使用量に換算する。
【００５８】
第３通信アダプタ９と太陽光発電装置、蓄電装置、電力変換装置との間の通信方式は、例えばＲＳ−４８５等の有線通信とする。なお、第３通信アダプタ９は、例えばヒートポンプ方式の加熱源を有する貯湯型の給湯装置等と通信可能であってもよい。また、第３通信アダプタ９とガスメータ、水道メータとの間の通信方式は、有線通信とする。但し、第３通信アダプタ９とガスメータ、水道メータとの間の通信方式は、有線通信に限らず、無線通信であってもよい。
【００５９】
なお、本実施形態の分電盤１では、第３通信アダプタ９は、上記の２つの通信機能を有しているが、各々の通信機能を個別に有する２つのアダプタで構成されてもよい。
【００６０】
次に、第１通信アダプタ７の動作について説明する。
【００６１】
演算処理部７００は、正常に動作している状態や操作ボタン７８１〜７８８による操作が行われていない状態では、表示制御部７３０を制御して、表示部７７１の表示を消灯させている。
【００６２】
また、演算処理部７００は、何らかのエラー（例えば計測ユニット６との間の通信エラー）が発生すると、表示制御部７３０を制御して、エラーの内容を示すエラーコードを表示部７７１に表示させる。エラーコードは例えば「Ｆ」という文字と２桁の数字で表される。表示部７７１は２桁の７セグメント表示器で構成されているので、表示制御部７３０は、エラーコードを表示する場合、「Ｆ」という文字と２桁の数字を所定の時間間隔で交互に表示させる。表示部７７１の表示内容は蓋板１６２の貫通孔１６２１を通して目視可能となっているので、需要家である住宅の住人は外蓋を開けることによって、表示部７７１の表示内容を確認することができる。
【００６３】
なお、複数種類のエラーが発生した場合、演算処理部７００は、表示制御部７３０を制御し、表示部７７１に複数のエラーコードを所定の周期（例えば１秒間隔）で順番に表示させており、表示部７７１の表示内容から複数種類のエラーが発生したことを確認できる。また、複数種類のエラーが発生した場合、表示部７７１には複数種類のエラーコードが所定の順番（例えば発生したエラーの重要度に応じた順番）で表示されるが、エラーコードの表示を切り替えたい場合は操作ボタン７８１を操作すればよい。操作ボタン７８１が操作されると、演算処理部７００は、操作ボタン７８１の操作に応じて操作入力部７２０から入力される信号に基づいて、表示制御部７３０を制御し、表示部７７１に表示されているエラーコードを切り替える。これにより、操作ボタン７８１を操作するたびに、表示部７７１に表示されるエラーコードを切り替えることができる。
【００６４】
次に、電気工事を行う施工業者が、分電盤１で発生したエラーの状況を確認する場合の操作について説明する。
【００６５】
内蓋１６と蓋板１６２〜１６５とを含む蓋が閉じている状態では、操作ボタン７８２〜７８８は蓋の裏側に隠れており、一般の需要家（住宅の住人）には操作できないようになっている。施工業者は、先ずキャビネット本体１１から外蓋を取り外した後、内蓋１６および蓋板１６２〜１６５を取り外して、キャビネット本体１１に収納されている内器を露出させる。このとき、第１通信アダプタ７の前面に設けられた操作ボタン７８２〜７８８及び発光表示部７７２も露出し、操作ボタン７８１〜７８８は操作可能な状態となる。
【００６６】
表示部７７１にエラーコードが表示されている状態で、施工業者が操作ボタン７８２〜７８８の何れかを操作すると、演算処理部７００は、操作入力部７２０から入力された信号に応じて、参照モードに切り替わる。参照モードにおいてスクロール操作のための操作ボタン７８２〜７８５が操作されると、演算処理部７００は、操作入力部７２０から入力された信号にしたがって表示する項目を切り替え、表示制御部７３０を制御して、選択された項目を表示部７７１に表示させる。そして、表示部７７１に所望の項目が表示された状態で、確認操作のための操作ボタン７８８が操作されると、演算処理部７００は、例えば、表示制御部７３０を制御して、この項目についての設定内容を表示部７７１に表示させる。これにより、施工業者は、分電盤１の各種の項目について現在の設定状態を確認することができる。
【００６７】
次に、第１通信アダプタ７が、操作ボタン７８１を用いた所定の操作に応じて、サーバ装置８００と連携して、ソフトウェアのアップデートなどを行う場合の動作について図７を参照して説明する。なお、図７は、サーバ装置８００と連携させる一連の処理において表示部７７１に表示される表示例の説明図である。表示部７７１は２桁の７セグメント表示器からなる。図７において、輪郭線が点線で図示されたセグメントは消灯中のセグメントを示し、輪郭線が実線で図示されて、内側にハッチングが加えられたセグメントは点灯中のセグメントを示している。
【００６８】
第１通信アダプタ７の演算処理部７００は、正常動作中は表示制御部７３０を制御して、表示部７７１の表示を消灯させている（図７の状態Ｓ１）。また、第１通信アダプタ７の演算処理部７００は、何らかの異常が発生している場合、表示制御部７３０を制御して表示部７７１にエラーコードを表示させる。表示制御部７３０は、表示部７７１に「Ｆ」という文字を表示させる状態（図７の状態Ｓ２）と、表示部７７１に２桁の数字を表示させる状態とを、所定の時間間隔で交互に切り替えることによって、エラーコードの表示を行っている。
【００６９】
外蓋を開いて内蓋１６及び蓋板１６２〜１６５の前面を露出させた状態で、需要家（住宅の住人）が操作ボタン７８１を用いて所定の操作を行うと、演算処理部７００は、操作入力部７２０から入力される信号に基づいて、サーバ装置８００との連携動作を開始する。ここで、操作ボタン７８１を用いた所定の操作とは、例えば操作ボタン７８１を所定の操作時間（例えば２秒間）以上連続的に押す操作（以下、長押し操作と言う。）であるが、所定時間内に操作ボタン７８１を複数回押し操作するような操作でもよい。
【００７０】
演算処理部７００は、サーバ装置８００との連携動作を開始すると、第１通信部７１０を制御し、ネットワーク２００を介してサーバ装置８００にアクセスさせる。第１通信アダプタ７は、通常は一定のポーリング周期（例えば８時間）でサーバ装置８００にアクセスするが、操作ボタン７８ｌの長押し操作に応じた信号が操作入力部７２０から入力されると、ポーリング周期を通常よりも短い周期（例えば十秒程度）に短縮する。なお、操作ボタン７８ｌが長押し操作された場合に、演算処理部７００は、必ずしもポーリング周期を短くする必要は無く、操作ボタン７８１が長押し操作されると、即座にサーバ装置８００にアクセスするように構成されてもよい。これにより、演算処理部７００は、操作ボタン７８１を用いて長押し操作が行われると、即座にサーバ装置８００にアクセスし、サーバ装置８００に対してアップデート可能なソフトウェア（例えばファームウェアなど）が存在するか否かを確認する。
【００７１】
演算処理部７００は、サーバ装置８００からの応答を待機する間は、表示制御部７３０を制御して、サーバ装置８００と通信を行っていることを示す記号（図形）を表示部７７１に表示させる。ここで、表示制御部７３０は、図７における状態Ｓ３の記号と、状態Ｓ４の記号とを１秒ずつ交互に繰り返して表示部７７１に表示させることで、サーバ装置８００と通信中であることを表示する。
【００７２】
サーバ装置８００は、第１通信アダプタ７からのアクセスに応じて、第１通信アダプタ７に組み込まれたソフトウェアの更新プログラムが存在するか否かを判断し、更新プログラムが存在する場合は、第１通信アダプタ７にソフトウェアの更新通知を送信する。第１通信アダプタ７の第１通信部７１０がサーバ装置８００からの更新通知を受信すると、演算処理部７００は、表示制御部７３０を制御して、表示部７７１に「ＵＰ」の文字を点滅表示させる（図７の状態Ｓ５）。
【００７３】
操作ボタン７８１を長押し操作した需要家は、表示部７７１に点滅表示された「ＵＰ」の文字から、アップデート可能なソフトウェアが存在することを確認できる。
【００７４】
需要家がソフトウェアのアップデートを行いたい場合、表示部７７１に「ＵＰ」の文字が表示されてから所定時間内（例えば１分以内）に操作ボタン７８１の長押し操作を行う。演算処理部７００は、表示部７７１による「ＵＰ」の表示から所定時間内に、操作ボタン７８１の長押し操作に応じた信号が操作入力部７２０から入力されると、ソフトウェアのアップデートを受け入れる信号を第１通信部７１０からサーバ装置８００に送信させる。サーバ装置８００は、第１通信アダプタ７からソフトウェアのアップデートを受け入れる信号を受信すると、ソフトウェアの更新プログラムを第１通信アダプタ７に送信する。第１通信アダプタ７では、第１通信部７１０がサーバ装置８００から送信された更新プログラムを受信すると、ソフトウェアの更新処理を行う。ソフトウェアの更新処理を行う間、演算処理部７００は、表示制御部７３０を制御して、図７における状態Ｓ６の記号と、状態Ｓ７の記号とを１秒ずつ交互に繰り返して表示部７７１に表示させており、ソフトウェアの更新中であることを表示する。ソフトウェアの更新が終了すると、演算処理部７００は、表示制御部７３０を制御して、表示部７７１を消灯させる。また、演算処理部７００は、ポーリング周期を通常の周期に戻し、サーバ装置８００との連携動作を終了する。
【００７５】
一方、表示部７７１に「ＵＰ」の文字が点滅表示された状態で、需要家がソフトウェアのアップデートを行わないと決めた場合、需要家は、操作ボタン７８１の操作を行わなければよい。演算処理部７００は、表示部７７１に「ＵＰ」の文字を表示させてから所定時間内に操作入力部７２０から信号が入力されなければ、ソフトウェアを更新しないと判断し、表示制御部７３０により表示部７７１を消灯させる（図７の状態Ｓ８）。また、演算処理部７００は、ポーリング周期を通常の周期に戻し、サーバ装置８００との連携動作を終了する。
【００７６】
また、サーバ装置８００が、第１通信アダプタ７からアクセスされた場合に、ソフトウェアの更新プログラムが存在していなければ、アクセスしてきた第１通信アダプタ７に対して、更新プログラムの不存在を通知する信号を送信する。第１通信アダプタ７の第１通信部７１０がサーバ装置８００から更新プログラムの不存在を通知する信号を受信すると、演算処理部７００は、表示制御部７３０を制御して、表示部７７１を消灯させる。表示部７７１が消灯したことから、操作ボタン７８１を長押し操作した需要家は、第１通信アダプタ７に組み込まれたソフトウェアのアップデートが不要なことを確認できる。また、演算処理部７００は、ポーリング周期を通常の周期に戻し、サーバ装置８００との連携動作を終了する。
【００７７】
なお、本実施形態の第１通信アダプタ７は、所定のポーリング周期でサーバ装置８００にアクセスしており、サーバ装置８００は、所定のポーリング周期でのアクセス時にも更新プログラムの有無を判断し、判断結果を第１通信アダプタ７に通知する。
【００７８】
また、本実施形態の第１通信アダプタ７は、サーバ装置８００にアクセスすることで、サーバ装置８００からソフトウェアの更新プログラムをダウンロードしているが、サーバ装置８００から新たなサービスの提供を受けるようにしてもよい。
【００７９】
需要家が操作ボタン７８１を用いて所定の操作（例えば長押し操作）を行うと、第１通信アダプタ７は、ネットワーク２００を経由してサーバ装置８００にアクセスする。サーバ装置８００は、第１通信アダプタ７からアクセスされると、第１通信アダプタ７が利用可能な新規のサービスが存在するか否かを判断し、新規のサービスが存在する場合は、第１通信アダプタ７に新規サービスを利用可能なことを通知する信号を送信する。第１通信アダプタ７の第１通信部７１０がサーバ装置８００から新規サービスを利用可能なことを通知する信号を受信すると、演算処理部７００は、表示制御部７３０を制御して、新規サービスを利用するか否かを需要家に尋ねる表示を表示部７７１に表示させる。操作ボタン７８１を長押し操作した需要家は、表示部７７１の表示内容から、新規に利用可能なサービスが存在することを確認する。
【００８０】
サーバ装置８００が提供する新規サービスを需要家が利用したい場合、新規に利用可能なサービスが存在することを表示部７７１が表示してから所定時間内に操作ボタン７８１の長押し操作を行う。操作ボタン７８１の長押し操作に応じた信号が操作入力部７２０から演算処理部７００に入力されると、演算処理部７００は、新規サービスの受け入れを通知する信号を第１通信部７１０からサーバ装置８００に送信させる。サーバ装置８００は、第１通信アダプタ７から新規サービスの受け入れを通知する信号を受信すると、新規サービスの利用に必要なプログラムを第１通信アダプタ７に送信する。第１通信アダプタ７では、第１通信部７１０がサーバ装置８００から送信されたプログラムを受信すると、受信したプログラムのインストールを行う。プログラムのダウンロードおよびインストールを行う間、演算処理部７００は、表示制御部７３０を制御して、図７における状態Ｓ６の記号と、状態Ｓ７の記号とを１秒ずつ交互に繰り返して表示部７７１に表示させ、新規サービスの導入中であることを表示する。新規サービスの導入が終了すると、演算処理部７００は、表示制御部７３０を制御して、表示部７７１を消灯させる。また、演算処理部７００は、ポーリング周期を通常の周期に戻し、サーバ装置８００との連携動作を終了する。
【００８１】
なお、需要家が新規サービスを利用しない場合、需要家は、操作ボタン７８１の操作を行わなければよい。演算処理部７００は、新規サービスを利用するか否かを問い合わせる表示を表示部７７１に表示させてから所定時間内に操作入力部７２０から信号が入力されなければ、新規サービスを利用しないと判断し、表示制御部７３０により表示部７７１を消灯させる。また、演算処理部７００は、ポーリング周期を通常の周期に戻し、サーバ装置８００との連携動作を終了する。
【００８２】
このように、需要家が、操作ボタン７８１を用いて所定の操作を行うことにより、所望のタイミングで第１通信アダプタ７をサーバ装置８００にアクセスさせることができ、第１通信アダプタ７をサーバ装置８００と連携させることができる。第１通信アダプタ７は、サーバ装置８００と連携することによって、サーバ装置８００からソフトウェアの更新プログラムをダウンロードしたり、サーバ装置８００が提供する新規のサービスを導入したりすることができる。
【００８３】
以上説明したように、本実施形態の通信装置（第１通信アダプタ７）は、分電盤１に取り付けられる通信装置であって、ケース７０と、第１操作部（操作ボタン７８１）と、第２操作部（操作ボタン７８２〜７８８）と、機能部（演算処理部７００）とを備える。分電盤１は、前面が開口したキャビネット本体１１と、キャビネット本体１１の前面の開口（開口部１４）を覆うようにキャビネット本体１１に取り付けられる蓋（内蓋１６及び蓋板１６２〜１６５からなる）とを備える。ケース７０はキャビネット本体１１に収納される。第１操作部は、キャビネット本体１１の前面の開口が蓋で覆われた状態で外側から操作可能なようにケース７０に設けられる。第２操作部は、キャビネット本体１１の前面の開口が蓋で覆われた状態では外側から操作できず、蓋が開けられた状態で操作可能なようにケース７０に設けられる。機能部は、ケース７０に収納され、第１操作部及び第２操作部の操作に応じた動作を行う。
【００８４】
このように、キャビネット本体１１の前面の開口が蓋で覆われている状態では、第１操作部は外側から操作できるが、第２操作部は外側から操作できないように構成されているので、操作部の一部（第２操作部）を簡単に操作できないように構成できる。
【００８５】
本実施形態の通信装置において、第１操作部（操作ボタン７８１）が、需要家側で操作可能な機能に対応するように構成され、第２操作部（操作ボタン７８２〜７８８）が、施工業者によって操作される機能に対応するように構成されることも好ましい。
【００８６】
施工業者によって操作される機能に対応した第２操作部は、キャビネット本体１１の前面の開口が蓋で覆われている状態では、外部から操作できないから、一般の需要家によって不用意に操作されにくくなる。
【００８７】
また、本実施形態の通信装置において、以下のような構成をさらに備えることも好ましい。すなわち、通信装置は、キャビネット本体１１の前面の開口が蓋で覆われた状態で外側から視認可能なように、ケース７０に設けられた表示部７７１を備える。機能部（演算処理部７００）は、第２操作部（操作ボタン７８２〜７８８）の操作に応じて表示部７７１の表示内容を切り替えるように構成される。そして、機能部は、表示部７７１に表示されている表示内容に応じて第１操作部（操作ボタン７８１）の機能を切り替えるように構成される。
【００８８】
これにより、第２操作部を用いて表示部７７１の表示内容を切り替え、それに応じて第１操作部の機能を切り替えることができるから、第１操作部に複数の機能を持たせることができる。また、１つの第１操作部に複数の機能を持たせることで、第１操作部の数を減らして、第１操作部の配置スペースを小さくできる。本実施形態では、例えば第２操作部の操作に応じて、表示部７７１に表示させる設定項目が切り替えられ、表示部７７１に表示させている設定項目に応じて、第１操作部の操作による機能が変更されるようになっている。
【００８９】
また、本実施形態の通信装置（第１通信アダプタ７）において、ネットワーク経由でサーバ装置８００と通信する通信部（第１通信部７１０）を備えてもよい。第１操作部（操作ボタン７８１）を用いて所定の操作が行われると、機能部（演算処理部７００）は、サーバ装置８００と連携させるために、通信部を制御してサーバ装置８００にアクセスさせるように構成される。
【００９０】
これにより、キャビネット本体１１の前面の開口が蓋で覆われた状態でも外側から操作可能な第１操作部を用いて所定の操作を行えば、機能部は通信部を制御してサーバ装置８００にアクセスさせている。したがって、外側から操作可能な第１操作部を用いて、第１通信アダプタ７をサーバ装置８００と連携させることができる。
【００９１】
また、本実施形態の通信装置（第１通信アダプタ７）において、キャビネット本体１１の前面の開口が蓋で覆われた状態で外側から視認可能なようにケース７０に設けられた表示部７７１を備えてもよい。表示部７７１は、通信部（第１通信部７１０）がサーバ装置８００にアクセスすることによって、サーバ装置８００から送信された応答内容に応じて、表示内容を変更するように構成されてもよい。
【００９２】
これにより、表示部７７１の表示内容をもとに、サーバ装置８００から送信された応答内容（例えばソフトウェアの更新通知など）を把握することができる。
【００９３】
また、本実施形態の通信装置（第１通信アダプタ７）において、以下のような構成をさらに備えることも好ましい。サーバ装置８００から所定の動作の実行を指示する応答内容が送信され、表示部７７１が応答内容に応じた表示内容を表示している状態で、第１操作部（操作ボタン７８１）を用いて所定の操作が行われると、機能部（演算処理部７００）が所定の動作の実行を受け入れるように構成される。
【００９４】
これにより、外側から操作可能な第１操作部を用いて、サーバ装置８００からの応答内容で指示された所定の動作の実行を受け入れることができる。例えば本実施形態では、表示部７７１にソフトウェアの更新通知が表示されている状態で、第１操作部を用いて所定の操作が行われると、ソフトウェアのアップデータを受け入れて、更新処理が行われる。
【００９５】
また、本実施形態の分電盤１は、需要家に設けられた複数の分岐回路の各々に電力を分配する複数の分岐ブレーカ３と、外部の機器と通信する通信装置（第１通信アダプタ７）と、複数の分岐ブレーカ３と通信装置とを収納する分電盤用キャビネット１０を備える。
【００９６】
これにより、設定作業を簡単に行える通信装置を備えた分電盤を提供することができる。
【００９７】
（実施形態２）
実施形態２の通信装置及びそれを用いる分電盤について図面を参照して説明する。なお、通信装置たる第１通信アダプタ７の動作以外は実施形態１と同様であるから、共通する構成要素には同一の符号を付してその説明は省略する。
【００９８】
実施形態１の第１通信アダプタ７は、操作ボタン７８１を用いた所定の操作に応じて、サーバ装置８００にアクセスし、サーバ装置８００と連携する動作を行うが、操作ボタン７８１を用いた所定の操作に応じて別の動作を行ってもよい。本実施形態の第１通信アダプタ７は、操作ボタン７８１を用いた所定の操作に応じて、クライアント端末に搭載されたウェブブラウザを用いて第１通信アダプタ７に各種の設定を行えるようにしている。
【００９９】
以下に、クライアント端末４００に搭載されたウェブブラウザを用いて第１通信アダプタ７に各種の設定を行う設定手順について図８〜図１１を参照して説明する。なお、図９は、設定中の各状態における表示部７７１の表示例を示した図である。図９において、輪郭線が点線で図示されたセグメントは消灯中のセグメントを示し、輪郭線が実線で図示されて、内側にハッチングが加えられたセグメントは点灯中のセグメントを示している。
【０１００】
第１通信アダプタ７の演算処理部７００は、正常動作中は表示制御部７３０により表示部７７１の表示を消灯させている。また、第１通信アダプタ７の演算処理部７００は、何らかの異常が発生している場合、表示制御部７３０を制御して表示部７７１にエラーコードを表示させる。表示制御部７３０は、エラーコードを表示させる場合、表示部７７１に「Ｆ」という文字と２桁の数字と所定の時間間隔で交互に表示させることで、エラーコードの表示を行っている。
【０１０１】
クライアント端末４００に搭載されたウェブブラウザを操作して、第１通信アダプタ７にアクセスすると、第１通信アダプタ７のサーバ機能部７０１は、クライアント端末４００にログイン用のウェブ画面を提供する。クライアント端末４００は、第１通信アダプタ７からログイン用のウェブ画面のデータを受信すると、ディスプレイ装置に図８に示すようなログイン用のウェブ画面６００を表示させる。
【０１０２】
このウェブ画面６００には、ログイン操作を行うためのアイコン６０１が表示されており、クライアント端末４００でアイコン６０１を操作すると、クライアント端末４００から第１通信アダプタ７にログイン要求が送信される。第１通信アダプタ７では、第１通信部７１０がクライアント端末４００からのログイン要求を受信すると、演算処理部７００が、表示制御部７３０を制御して表示部７７１に例えば「ＰＣ」の文字を一定の時間間隔で点滅表示させる（図９の状態Ｓ１１）。
【０１０３】
設定作業を行う者は、表示部７７１に「ＰＣ」の文字が点滅表示されるのを見て、クライアント端末４００からのログイン要求を第１通信アダプタ７が受け付けたことを把握する。図８のログイン画面から設定用のウェブ画面に移行させたい場合、設定作業を行う者は、内蓋１６の貫通孔１６２２から露出する操作ボタン７８１を用いて所定の操作（例えば長押し操作）を行う。
【０１０４】
演算処理部７００は、表示部７７１に「ＰＣ」の文字を点滅表示させた状態で、操作ボタン７８２の長押し操作に応じた信号が操作入力部７２０から入力されると、ログイン画面から設定用のウェブ画面に移行させる。すなわち、演算処理部７００のサーバ機能部７０１は、設定用のウェブ画面をクライアント端末４００に提供し、クライアント端末４００のディスプレイ装置に図１０に示すような設定用のウェブ画面６１０が表示される。また、演算処理部７００は、表示制御部７３０を制御して表示部７７１に「ＰＣ」の文字を点灯表示させる（図９の状態Ｓ１２）。演算処理部７００は、表示部７７１による「ＰＣ」の文字の表示を点滅状態から点灯状態に切り替えることで、ログイン操作が行われたことを表示し、さらにサーバ機能部７０１によって設定用のウェブ画面が提供され、設定が可能な状態であることを表示する。設定用のウェブ画面６１０には、設定対象を選択するためのアイコン６１１，６１２，６１３が表示される。クライアント端末４００で例えばアイコン６１１が操作されると、設定対象をネットワークの情報とする信号がクライアント端末４００から第１通信アダプタ７に送信される。なお、設定用のウェブ画面６１０においてクライアント端末４００でアイコン６１２が操作されると、設定対象を計測回路の情報とする信号が第１通信アダプタ７に送信される。また、クライアント端末４００でアイコン６１３が操作されると、設定対象をスマートメータの情報とする信号が第１通信アダプタ７に送信される。
【０１０５】
また、クライアント端末４００からのログイン要求に応じて表示部７７１が「ＰＣ」の文字を点滅表示させてから所定時間内に操作ボタン７８１を用いて所定の操作が行われなかった場合、サーバ機能部７０１は強制的にログアウトの処理を行う。また、演算処理部７００は、表示制御部７３０を制御して、表示部７７１を消灯させる（図９の状態Ｓ１５）。
【０１０６】
クライアント端末４００のディスプレイ装置に図１０のウェブ画面が表示されている状態で、ウェブブラウザを用いてアイコン６１１が操作されると、クライアント端末４００から設定対象をネットワークの情報とする要求信号が第１通信アダプタ７に送信される。第１通信アダプタ７のサーバ機能部７０１は、クライアント端末４００から設定対象をネットワークの情報とする要求信号を受信すると、ネットワークの情報を設定するためのウェブ画面をクライアント端末４００に提供する。このとき、クライアント端末４００のディスプレイ装置には図１１に示すような設定用のウェブ画面６２０が表示される。このウェブ画面６２０には、ネットワークの情報として複数の入力項目について値を入力するための入力ボックス６２１と、設定操作用のアイコン６２２と、１つ前のウェブ画面に戻る操作を行うためのアイコン６２３とが表示される。なお、複数の入力項目としては、例えばＤＨＣＰ（Dynamic Host Configuration Protocol）の設定、ＩＰアドレス、サブネットマスク、ディフォルトゲートウェイのアドレス、ＤＮＳサーバアドレスなどがある。
【０１０７】
クライアント端末４００のウェブブラウザを操作して、設定用のウェブ画面で設定内容を入力すると、入力した設定内容のデータが第１通信アダプタ７に送信される。第１通信アダプタ７の演算処理部７００は、ウェブ画面で入力された設定内容のデータがクライアント端末４００から入力されると、表示制御部７３０を制御して表示部７７１に「Ｓｔ」の文字を点滅表示させ（図９の状態Ｓ１３）、設定中であることを表示する。また、第１通信アダプタ７の演算処理部７００は、クライアント端末４００から入力された設定内容のデータを記憶部７４０に一時的に記憶させる。
【０１０８】
クライアント端末４００のウェブブラウザを操作して、所望の設定内容を入力した後、入力した設定内容を確定させる場合は、操作ボタン７８１を用いて所定の操作（例えば長押し操作）を行う。第１通信アダプタ７の演算処理部７００は、設定中に操作入力部７２０から操作ボタン７８１による所定の操作に応じた信号が入力されると、クライアント端末４００から入力された設定内容のデータを確定して記憶部７４０に記憶させる。また、第１通信アダプタ７の演算処理部７００は、表示制御部７３０を制御して表示部７７１に「ＰＣ」の文字を表示させる（図９の状態Ｓ１２）。その後、第１通信アダプタ７の演算処理部７００は、ウェブブラウザによる操作が無ければ、表示制御部７３０を制御して表示部７７１に「ＰＣ」の文字を表示させ続け、一定時間（例えば３０分間）の経過後に表示部７７１を消灯させる（図９の状態Ｓ１４）。
【０１０９】
また、クライアント端末４００のディスプレイ装置に設定用のウェブ画面６２０が表示されている状態で、ウェブブラウザによる操作が一定時間なければ、第１通信アダプタ７の演算処理部７００は、それまでに入力された設定内容を破棄する。また、演算処理部７００は表示制御部７３０を制御して表示部７７１の表示を消灯させる（図９の状態Ｓ１４）。また、演算処理部７００のサーバ機能部７０１は、クライアント端末４００に提供した設定用のウェブ画面を閉じて、強制的にログアウトの処理を行う。
【０１１０】
ところで、第１通信アダプタ７が、パーソナルコンピュータなどの設定装置５００を直接接続するための接続ポート７５０を備えている場合（図３参照）、設定装置５００を用いて第１通信アダプタに各種の情報を設定してもよい。第１通信アダプタ７には初期状態において固定のＩＰアドレスが割り当てられている。設定作業を行う者は、第１通信アダプタ７の接続ポートに設定装置５００を接続する。その後、設定作業を行う者が操作ボタン７８１を用いて所定の操作（例えば長押しする操作）を行うと、演算処理部７００は、操作入力部７２０から入力される操作信号に応じて、固定のＩＰアドレスで設定画面にアクセス可能な状態となる。このとき、演算処理部７００は、表示制御部７３０を制御して表示部７７１に「ＩＰ」の文字を表示させ、固定のＩＰアドレスでアクセス可能な状態であることを表示する（図９の状態Ｓ２１）。
【０１１１】
設定作業を行う者は、表示部７７１の表示から第１通信アダプタ７が固定のＩＰアドレスでアクセス可能な状態にあると判断し、設定装置５００に搭載されたウェブブラウザを操作し、固定のＩＰアドレスを指定して、設定用のウェブ画面にアクセスする。第１通信アダプタ７のサーバ機能部７０１は、固定のＩＰアドレスを指定してアクセスされると、設定用のウェブ画面を設定装置５００に提供し、設定装置５００のディスプレイ装置には設定用のウェブ画面（例えば図１０、図１１参照）が表示される。設定用のウェブ画面においてウェブブラウザを操作して所望の設定内容が入力されると、入力された設定内容のデータが第１通信アダプタ７の演算処理部７００に入力される。演算処理部７００は、ウェブ画面で入力された設定内容のデータが設定装置５００から入力されると、表示制御部７３０を制御して表示部７７１に「Ｓｔ」の文字を点滅表示させ（図９の状態Ｓ２２）、設定作業中であることを表示する。また、第１通信アダプタ７の演算処理部７００は、設定装置５００から入力された設定内容のデータを記憶部７４０に一時的に記憶させる。
【０１１２】
設定装置５００のウェブブラウザを操作して、所望の設定内容を入力した後、入力した設定内容を確定させる場合は、操作ボタン７８１を用いて所定の操作（例えば長押し操作）を行う。サーバ機能部７０１は、ウェブ画面での設定操作が終了した終了時点から所定時間内に、操作ボタン７８１による所定の操作に応じた信号が操作入力部７２０から入力されると、設定装置５００から入力された設定内容のデータを確定して記憶部７４０に記憶させる。また、第１通信アダプタ７の演算処理部７００は、表示制御部７３０を制御して表示部７７１に「ＩＰ」の文字を表示させる（図９の状態Ｓ２１）。その後、第１通信アダプタ７の演算処理部７００は、ウェブブラウザによる操作が無ければ、表示制御部７３０を制御して表示部７７１に「ＩＰ」の文字を表示させ続け、一定時間（例えば３０分間）の経過後に表示部７７１を消灯させる（図９の状態Ｓ２３）。
【０１１３】
また、設定用のウェブ画面での設定操作が終了した終了時点から所定時間内に操作ボタン７８１を用いて設定内容を確定させる所定の操作が行われなかった場合、サーバ機能部７０１は、設定用のウェブ画面で設定された設定内容を破棄する。また、演算処理部７００は表示制御部７３０を制御して表示部７７１の表示を消灯させる（図９の状態Ｓ２３）。また、演算処理部７００のサーバ機能部７０１は、設定装置５００に提供した設定用のウェブ画面を閉じて、強制的にログアウトの処理を行う。
【０１１４】
上述したような設定手順により、クライアント端末４００からウェブ経由で第１通信アダプタ７に各種の情報を設定したり、第１通信アダプタ７に直接接続された設定装置５００から第１通信アダプタ７に各種の情報を設定したりできる。
【０１１５】
以上説明したように、本実施形態の通信装置（第１通信アダプタ７）において、ウェブブラウザからの要求に応じたウェブ画面を提供するサーバ機能部７０１を備えてもよい。サーバ機能部７０１は、ウェブブラウザからの要求に応じてログイン用のウェブ画面６００を提供するように構成される。ログイン用のウェブ画面６００に表示されたログイン操作用のアイコン６０１がウェブブラウザによって操作された状態で、第１操作部（操作ボタン７８１）を用いて所定の操作が行われた場合、サーバ機能部７０１は、分電盤１の構成に関する設定用のウェブ画面をウェブブラウザに提供するように構成される。
【０１１６】
これにより、ログイン用のウェブ画面に表示されたログイン操作用のアイコンがウェブブラウザによって操作された状態で、第１操作部を用いて所定の操作を行うことで、設定用のウェブ画面が提供されるので、ウェブブラウザを用いて設定作業が行える。したがって、通信装置に設けられた少数の操作部を用いて設定作業を行う場合に比べて、設定作業が容易になる。また、ウェブブラウザでログイン操作用のアイコンを操作した後に、ケース７０に設けられた第１操作部を用いて所定の操作を行うことで、設定用のウェブ画面が提供されるから、ウェブブラウザからの操作だけでは設定用のウェブ画面に移行しない。よって、外部からウェブ経由で通信装置にアクセスされて、設定内容が勝手に変更される可能性が減少し、セキュリティ性能が向上する。
【０１１７】
また、本実施形態の通信装置（第１通信アダプタ７）において、キャビネット本体１１の前面の開口が蓋で覆われた状態で外側から視認可能なようにケース７０に設けられた表示部７７１を備えてもよい。ウェブブラウザによって、ログイン操作用のアイコンが操作された場合に、表示部７７１はログイン操作が行われたことを示す表示を行うように構成されることも好ましい。
【０１１８】
これにより、表示部７７１の表示から、ログイン操作が行われたことを認識できる。
【０１１９】
また、本実施形態の通信装置（第１通信アダプタ７）において、サーバ機能部７０１が設定用のウェブ画面をウェブブラウザに提供した場合に、表示部７７１は、サーバ機能部７０１によって設定用のウェブ画面が提供され、設定が可能な状態であることを表示するように構成されてもよい。
【０１２０】
これにより、表示部７７１の表示から、設定が可能な状態になったことを認識できる。
【０１２１】
また、本実施形態の通信装置において、以下の構成をさらに備えてもよい。設定用のウェブ画面での設定操作が終了した終了時点から所定時間内に第１操作部（操作ボタン７８１）を用いて設定内容を確定させる操作が行われた場合、サーバ機能部７０１は、設定用のウェブ画面で設定された設定内容を確定させるように構成される。さらに、終了時点から所定時間内に第１操作部を用いて設定内容を確定させる操作が行われなかった場合、サーバ機能部７０１は、設定用のウェブ画面で設定された設定内容を破棄するように構成される。
【０１２２】
これにより、ウェブ画面での設定操作が終了した時点から所定時間内に操作部を用いて設定内容を確定させる操作を行えば、設定用のウェブ画面で入力された設定内容を確定させることができる。また、ウェブ画面での設定操作が終了した時点から所定時間内に操作部を用いて設定内容を確定させる操作を行わなければ、設定用のウェブ画面で入力された設定内容を破棄させることができる。
【符号の説明】
【０１２３】
１  分電盤
３  分岐ブレーカ
７  第１通信アダプタ（通信装置）
１０  分電盤用キャビネット
１１  キャビネット本体
１４  開口部
１６  内蓋（蓋）
７０  ケース
７００  演算処理部（機能部）
７０１  サーバ機能部
７１０  第１通信部（通信部）
７７１  表示部
７８１  操作ボタン（第１操作部）
７８２〜７８８  操作ボタン（第２操作部）
１６２〜１６５  蓋板（蓋）
１６２１  貫通孔
１６２２  貫通孔
【図１】
2015216768.tif 000003
【図２】
2015216768.tif 000004
【図３】
2015216768.tif 000005
【図４】
2015216768.tif 000006
【図５】
2015216768.tif 000007
【図６】
2015216768.tif 000008
【図７】
2015216768.tif 000009
【図８】
2015216768.tif 000010
【図９】
2015216768.tif 000011
【図１０】
2015216768.tif 000012
【図１１】
2015216768.tif 000013